(57)【要約】【課題】種々のサイズの収納家具に取り付け可能であるとともに、蝶番などの複雑な機構を用いず、簡便に取り付け可能な扉キットを提供する。【解決手段】扉キットは、補助部材３０が取り付けられ、カラーボックス１の収納空間の前面を塞ぐための前扉２０と、収納空間内の相互に対向する側面の上端部に略水平な状態で対向して固設されるガイドレールと、前扉２０の裏面の対応する左右上端縁に設けられ、前記ガイドレールにそれぞれ長手方向に沿って移動自在に係合するスライダとから構成され、前扉２０が略水平な状態にあるときには、スライダがガイドレールに沿って移動することで、前扉２０が収納空間内に収納される。【選択図】図１
2013079502.tif 000002
【特許請求の範囲】
【請求項１】
天板と底板と背板と二枚の側板とから構成され、これら天板，底板，背板及び側板から直方体状の収納空間が形成される収納家具に設けられて、前記収納空間の前面を開閉自在に塞ぐ扉キットであって、
前記収納空間の前面を塞ぐための前扉と、
前記収納空間の前面において、回動自在かつ吊下げ状態で前記前扉を支持するとともに、前記前扉が略水平な状態にあるときには、前記収納空間の奥行き方向に沿った前記前扉の移動を案内して、前記前扉を前記収納空間内に収納可能にする二組の扉ホルダとから構成され、
前記二組の扉ホルダは、前記各側板の相互対向面の上端部に、それぞれ前記天板及び底板と略平行な状態で対向して固設されるガイドレールと、この各ガイドレールにそれぞれその長手方向に沿って移動自在に係合するスライダとから構成されるとともに、前記各スライダは、それぞれ係合部を備えた基部を有しており、
更に、前記スライダは、前記前扉の裏面の対応する左右上端縁に前記係合部が位置するようにそれぞれ設けられていることを特徴とする扉キット。
【請求項２】
前記各ガイドレールは、上下に一定の間隔を隔てて略平行に設けられた一対のガイド片をそれぞれ備え、
前記各スライダは、前記前扉の裏面に固設される基部と、該基部から前記前扉の裏面と平行となるように延設された円筒状の係合軸とからなるとともに、前記係合軸が対応するガイドレールの一対のガイド片間に挿入されることで該ガイドレールと係合するように構成され、
前記前扉が略水平な状態となり、前記収納空間内に収納されるときには、上側のガイド片によって前記前扉の裏面が支持されるように構成されていることを特徴とする請求項１に記載の扉キット。
【請求項３】
前記一対のガイド片は、その前端部が相互に接近して、相互間の間隔が縮寸された状態に形成されるとともに、該前端部間に前記係合軸が通過可能な空間が形成されていることを特徴とする請求項２に記載の扉キット。
【請求項４】
前記一対のガイド片は、その前端部が相互に接近して、相互間の間隔が縮寸された状態に形成されるとともに、前記前端部間に空間が形成されており、
前記係合軸の外周面には、その中心軸と平行な一以上の平面が形成され、
更に、前記ガイド片の前端部間の空間は、前記係合軸の直径よりも小さく、かつ前記係合軸が通過可能な大きさに形成されていることを特徴とする請求項２に記載の扉キット。
【請求項５】
前記一対のガイド片は、その前端部が相互に接近して、相互間の間隔が縮寸された状態に形成されるとともに、前記前端部間に空間が形成されており、
前記係合軸の外周面には、その中心軸と平行な一以上の平面が形成され、
更に、前記一対のガイド片の前端部は、その前端部が弾性変形可能な自由端に形成されるとともに、前記前端部間の空間は、前記係合軸が通過不可能な大きさに形成され、該前端部が弾性変形することにより、前記係合軸を通過させるように構成されていることを特徴とする請求項２に記載の扉キット。
【請求項６】
前記前扉、及びこれに固設される前記各スライダは、一体成形の樹脂から構成されることを特徴とする請求項１乃至５のいずれか１項に記載の扉キット。
【請求項７】
前記前扉には、その下部に、上下方向に移動可能かつ前記前扉と略同幅の補助部材が取り付けられていることを特徴とする請求項１乃至６記載のいずれか１項に記載の扉キット。
【発明の詳細な説明】
【技術分野】
【０００１】
本発明は、各種物品の収納に供する収納家具の各棚へ着脱自在に取り付けて用いられる扉キットに関する。
【背景技術】
【０００２】
従来、板材、例えば各種合板、ベニヤ板、化粧板等を組み立てて、各種物品を収納する収納家具は、値段が手頃であるほか、用途を選ばず、種々の物品を収納できることから広く普及している。このような収納家具には、棚数や目的・用途によって、様々なデザインのものがあるが、一般に簡易な構成であり、各棚の開口に対しては扉が設けられないことも多かった。したがって、扉を必要とする利用者は、必要に応じて別途購入した扉を取り付けて利用していた。
【０００３】
上記のような収納家具に用いられる扉部材としては、特開平９−１４０４７６号公報に記載のものが知られている。同公報には、家具本体１の収納空間Ｓを閉止し得る位置に蝶番２を介して略鉛直な姿勢で扉３を配設し、この扉３を、後傾動作により略水平な姿勢にまで回動させて蝶番２とともに収納空間Ｓ内に引き込み得るようにした構成が開示されている。
【０００４】
このような扉構造を採用すれば、開け放した扉を自然に収納空間内に収納できるので、物品の出し入れに際して扉が邪魔にならず、快適な収納が行える。
【先行技術文献】
【特許文献】
【０００５】
【特許文献１】特開平９−１４０４７６号公報
【発明の概要】
【発明が解決しようとする課題】
【０００６】
しかしながら、収納家具のサイズ、とりわけカラーボックスと通称される三段組みや二段組みの簡易な収納家具においては、サイズ上の厳格な規格がなく、その収納空間のデザイン・大きさ（特に奥行きや高さ）はまちまちであった。
【０００７】
そのため、従来の扉部材はすべて、収納家具の収納空間の大きさに合わせた専用のデザインとなっており、収納家具の種類が異なると、適切に取り付けることができなかった。すなわち、従来の扉部材は汎用性が乏しく、異なるサイズの収納家具には設置・利用が困難であった。
【０００８】
特に、特開平９−１４０４７６号公報のように、開け放した扉を収納空間内に収納する構造とする場合には、扉の高さが低すぎると収納空間を密閉することができず、ルーズな外観となるほか、扉の高さが高すぎると収納空間内に引き込んだときに扉がすべて収まりきらず、扉の一部が収納空間から飛び出し、危険な状態となっていた。また、上記先行技術文献のように、扉を収納家具に設置するにあたっては、蝶番を用いることが多く、そのために煩雑なねじ止め作業をしなければ、扉を設置することができなかった。
【０００９】
本発明は、以上の実情に鑑みなされたものであって、種々のサイズの収納家具に取り付け可能であるとともに、蝶番などの複雑な機構を用いず、簡便に取り付け可能な扉キットを提供することを目的としている。
【課題を解決するための手段】
【００１０】
本発明に係る扉キットは、上記課題を解決するために、
天板と底板と背板と二枚の側板とから構成され、これら天板，底板，背板及び側板から直方体状の収納空間が形成される収納家具に設けられて、前記収納空間の前面を開閉自在に塞ぐ扉キットであって、
前記収納空間の前面を塞ぐための前扉と、
前記収納空間の前面において、回動自在かつ吊下げ状態で前記前扉を支持するとともに、前記前扉が略水平な状態にあるときには、前記収納空間の奥行き方向に沿った前記前扉の移動を案内して、前記前扉を前記収納空間内に収納可能にする二組の扉ホルダとから構成され、
前記二組の扉ホルダは、前記各側板の相互対向面の上端部に、それぞれ前記天板及び底板と略平行な状態で対向して固設されるガイドレールと、この各ガイドレールにそれぞれその長手方向に沿って移動自在に係合するスライダとから構成されるとともに、前記各スライダは、それぞれ係合部を備えた基部を有しており、
更に、前記スライダは、前記前扉の裏面の対応する左右上端縁に前記係合部が位置するようにそれぞれ設けられている扉キットに係る。
【００１１】
上記構成において、収納家具は、天板と底板と背板と二枚の側板とから構成されており、その内部に直方体状の収納空間が形成されるように構成されている。本発明に係る扉キットは、この収納空間の前面を開閉自在に塞ぐ扉キットであって、前扉と二組の扉ホルダとから構成される。
【００１２】
前記二組の扉ホルダは、前記収納空間の前面において、回動自在かつ吊下げ状態で前記前扉を支持するものである。回動自在に吊下げられた前扉を略水平な状態に持ち上げたときには、扉ホルダは案内部として機能し、収納空間の奥行き方向に前扉が押し込まれたとき、押し込まれた前扉を案内して、収納空間内に収納可能とする。
【００１３】
前記二組の扉ホルダは、各側板の相互対向面の上端部に、それぞれ前記天板及び底板と略平行な状態で対向して固設されるガイドレールと、この各ガイドレールにそれぞれその長手方向に沿って移動自在に係合するスライダとから構成される。
【００１４】
ガイドレールとスライダの具体的構成は、スライダがガイドレールの長手方向に沿って移動自在に係合する構成であれば、スライダが凸部を備えていたり、凹部を備えていたり、任意の構成を採用することができる。前記各スライダは、ガイドレールと係合する係合部を備えた基部を有しており、更に、各スライダは、前記前扉の裏面の対応する左右上端縁に前記係合部が位置するように、それぞれ設けられている。この各スライダを各ガイドレールに係合させることにより、前記二組の扉ホルダは、収納空間の前面において、前扉を回動自在かつ吊下げ状態で支持することができる。
【００１５】
これにより、蝶番などの複雑な機構を用いず、スライダとガイドレールを係合させることにより、簡便に収納家具に取り付けることができる。
【００１６】
上記の構成において、前記各ガイドレールは、上下に一定の間隔を隔てて略平行に設けられた一対のガイド片をそれぞれ備え、前記各スライダは、前記前扉の裏面に固設される基部と、この基部から前記前扉の裏面と平行となるように延設された円筒状の係合軸とからなるとともに、前記係合軸が対応するガイドレールの一対のガイド片間に挿入されることで該ガイドレールと係合するように構成され、前記前扉が略水平な状態となり、前記収納空間内に収納されるときには、上側のガイド片によって前記前扉の裏面が支持されるように構成されていることが好ましい。
【００１７】
上記の構成によれば、前記各ガイドレールは、上下に一定の間隔を隔てて略平行に設けられた一対のガイド片をそれぞれ備えている。そして、前記各スライダは、前記前扉の裏面に固設される基部を備え、そして、この基部からは、前記前扉の裏面と平行となるように延設された円筒状の係合軸が備えられている。この係合軸が、一対のガイド片間に挟まれるように挿入されることにより前記ガイドレールと係合し、前扉は前記収納空間の前面において、回動自在かつ吊下げ状態で支持されることになる。そして、この前扉が略水平な状態になると、係合軸が上記ガイド片間をスライドすることにより、前扉が前記収納空間内に案内収納されるが、上側のガイド片は、その上に前記前扉の裏面を支持するように載置する。
【００１８】
これにより、一対のガイド片とその間に挿入される係合軸という簡易な構成によって、収納空間の前面において、回動自在かつ吊下げ状態で前記前扉を支持するとともに、その前扉を略水平な状態に持ち上げたときには、案内部として機能し、収納空間の奥行き方向に前扉を押し込むことを可能とする扉ホルダの構成を実現することができる。そのため、扉キットの組み立て時には、特別な道具を用いずに、スライダとガイドレールを係合させることにより、簡便に収納家具に取り付けることができる。
【００１９】
上記の構成において、前記一対のガイド片は、その前端部が相互に接近して、相互間の間隔が縮寸された状態に形成されるとともに、該前端部間に前記係合軸が通過可能な空間が形成されていることが好ましい。
【００２０】
上記の構成によれば、前記各ガイドレールは、一対のガイド片の前端部から該ガイド片間に前記係合軸が挿入されるように構成されているので、前記係合軸をガイド片の前端部から係合させることになるが、上側のガイド片の前端部と下側のガイド片の前端部とが相互に接近して、相互間の間隔が縮寸された状態に形成されており、例えば、上側のガイド片の前端部は前方に向けて下り傾斜に形成することで、係合軸が上側のガイド片の前端部に当接すると、下り傾斜に導かれるように滑り、円滑に係合軸をガイド片間に挿入することができる。
【００２１】
また、例えば、下側のガイド片の前端部を上方に向けて屈曲させて、ガイド片間の間隔を縮寸するようにした場合、下側のガイド片の前端部が係止部となり、一旦ガイド片間に挿入された係合軸を、当該係止部によって係止することで、外力を加えても容易には外れないように保持できる。これにより、ガイド片間への係合軸の挿入による前扉の装着が容易になる一方、一旦装着した前扉は安定的に保持されることになる。尚、相互間の間隔を縮寸する形態は、上述した形態に限られるものではなく、上側のガイド片の前端部が下方に向けて屈曲するようにしても良く、また、下側のガイド片の前端部を前方に向けて上り傾斜に形成するようにしても良い。
【００２２】
また、前記一対のガイド片は、その前端部が相互に接近して、相互間の間隔が縮寸された状態に形成されるとともに、前記前端部間に空間が形成されており、前記係合軸の外周面には、その中心軸と平行な一以上の平面が形成され、更に、前記ガイド片の前端部間の空間は、前記係合軸の直径よりも小さく、かつ前記係合軸が通過可能な大きさに形成されていることが好ましい。
【００２３】
上記の構成によれば、前記一対のガイド片の前端部間の空間が、前記係合軸が通過可能な大きさに形成されているため、例えば、係合軸に形成された平面を擦るように、係合軸をガイド片間に挿入すると簡単に挿入される一方、前記空間の大きさが、前記係合軸の直径よりも小さいので、前扉が回転すると簡単には外れなくなる。これにより、扉の取り付けが簡単でありながら、容易には外れない扉構造を実現することができる。
【００２４】
また、前記一対のガイド片は、その前端部が相互に接近して、相互間の間隔が縮寸された状態に形成されるとともに、前記前端部間に空間が形成されており、前記係合軸の外周面には、その中心軸と平行な一以上の平面が形成され、更に、前記一対のガイド片の前端部は、その前端部が弾性変形可能な自由端に形成されるとともに、前記前端部間の空間は、前記係合軸が通過不可能な大きさに形成され、該前端部が弾性変形することにより、前記係合軸を通過させるように構成されていることが好ましい。
【００２５】
上記の構成によれば、前記前端部は、弾性変形可能な自由端に形成されているため、当該前端部を弾性変形させることで、係合軸をガイド片間に簡単に挿入することができ、係合軸をガイド片間に挿入した後は、前記空間は、係合軸が通過不可能な大きさに戻るため、前扉が簡単には外れなくなる。
【００２６】
上記の構成において、前記前扉、及びこれに固設される前記各スライダは、一体成形の樹脂から構成されることが好ましい。
【００２７】
上記の構成によれば、前記前扉と前記各スライダの構成を容易に作成できるだけでなく、両者が一体となっているので取り扱いも容易となる。
【００２８】
また、前記前扉には、その下部に、上下方向に移動可能かつ前記前扉と略同幅の補助部材が取り付けられていることが好ましい。
【００２９】
上記構成によれば、補助部材を上下方向に移動させることにより、前扉の上下方向の長さを自在に調節することができる。これにより、前扉の高さが短ければ、補助部材を下方向に延ばして、収納空間の開口全面を覆うことができるし、回動自在に吊下げられた前扉を略水平な状態に持ち上げて収納空間に納めるときには、補助部材を上方向に移動させて、前扉の高さを低くしてその全体が収納空間内に収納されるようにすることができる。
【発明の効果】
【００３０】
本発明に係る扉キットによれば、種々のサイズの収納家具に取り付け可能であるとともに、蝶番などの複雑な機構を用いず、簡便に取り付け可能な扉キットを実現することが可能となる。
【図面の簡単な説明】
【００３１】
【図１】本発明の一実施形態に係る扉キットを装着したカラーボックスを示す外観図であり、（ａ）は、扉を開いた状態を示す図であり、（ｂ）は扉を収納空間の上部に収納した状態を示す図である。
【図２】本発明の一実施形態に係る扉キットの扉ホルダを構成するガイドレールの構造を示す正面図である。
【図３】本発明の一実施形態に係る扉キットの扉ホルダを構成するスライダを備えた前扉の構造を示す図であり、（ａ）は前扉の裏面を示す背面図であり、（ｂ）は（ａ）における矢示Ａ方向から見た平面図である。
【図４】図３（ａ）における矢示Ｂ方向から見たスライダの拡大図である。
【図５】図５（ａ）は図３（ａ）におけるＣ−Ｃ間の断面図であり、図５（ｂ）は図５（ａ）における補助部材取付孔の拡大図である。
【図６】本発明の一実施形態に係る前扉に取り付けられる補助部材の構造を示す図であり、（ａ）は補助部材の裏面を示す背面図であり、（ｂ）は（ａ）における矢示Ｄ方向から見た平面図であり、（ｃ）は（ｂ）における取付爪の拡大図である。
【図７】本発明の一実施形態に係る前扉において、補助部材を備えた様子を示す模式図である。
【図８】本発明の一実施形態に係る補助部材を備えた前扉によって、収納空間を閉止した様子を示す正面図である。
【図９】本発明の他の実施形態に係る前扉を構成するスライダ取付具を示す図であり、（ａ）はスライダ取付具を示す平面図であり、（ｂ）は（ａ）における矢示Ｅ方向から見た側面図であり、（ｃ）は（ａ）における矢示Ｆ方向から見た側面図である。
【図１０】基板にスライダ取付具を取り付けた様子を示す模式図である。
【図１１】本発明の他の実施形態に係る扉キットの扉ホルダを構成するガイドレールの構造を示す正面図である。
【図１２】本発明の他の実施形態に係る扉キットの扉ホルダを構成するスライダの構造を示す拡大図である。
【図１３】ガイドレールにスライダが係合する過程を示す模式図である。
【発明を実施するための形態】
【００３２】
以下、本発明の具体的な実施形態について、添付図面に基づき説明する。
【００３３】
図１（ａ）は、本発明の一実施形態に係る扉キットを装着したカラーボックス１であり、このカラーボックス１は天板２、側板３，４、底板５、中板６、背板７から構成されている。天板２、側板３，４、底板５、中板６、背板７は、複数の直方体状の収納空間を形成しており、最上部の収納空間に前扉２０を取り付けている。
【００３４】
前扉２０を取り付ける収納空間内において、側板３，４の相互対向面の上端部には、それぞれ、天板２及び底板５と略平行な状態で対向して、ガイドレール１０（図２参照）が固設されており、この２つのガイドレール１０に対応するように、前扉２０の裏面の対応する左右上端縁にそれぞれスライダ２２が固設されている（図３参照）。
【００３５】
このガイドレール１０とスライダ２２とが対になって扉ホルダを構成しており、前扉２０のスライダ２２がガイドレール１０に係合されることによって、前扉２０がカラーボックス１に取り付けられ、回動自在かつ吊下げ状態で支持されている。前扉２０の素材は、ＡＢＳ樹脂やポリスチレンから構成し、ガイドレール１０の素材は柔らかめのポリプロピレンなどから構成することが好ましい。
【００３６】
そして、図１（ｂ）に示すように、ガイドレール１０とスライダ２２との組み合わせによって、前扉２０が略水平な状態にあるときには、収納空間の奥行き方向に沿った前扉２０の移動を案内して、前扉２０を収納空間内に収納可能としている。尚、前扉２０が略水平な状態となり、前記収納空間内に収納されるときには、後述する上側のガイド片１２によって前扉２０の裏面が支持されるように構成されている。
【００３７】
図２に示すように、各ガイドレール１０は、基材１１から紙面手前方向に突出するように、上下に一定の間隔を隔てて略平行に設けられた一対のガイド片１２，１３をそれぞれ備えている。各ガイドレール１０は、左右対称の形状となっており、一対のガイド片１２，１３の前端部からガイド片１２，１３間に、前扉２０のスライダ２２が挿入されるように構成されており、上側のガイド片１２の両端部は対向するガイド片１３に向けて下り傾斜に形成され、かつ下側のガイド片１３の両端部には、上側のガイド片１２に向けて屈曲した係止部１４が形成されている。尚、下側のガイド片１３の両端部は、上側のガイド片１２に向けて屈曲した係止部１４が形成されているが、これに限られるものではなく、緩やかな弧を描いて上り傾斜の係止部が形成されるようにしても良い。
【００３８】
このガイドレール１０は、樹脂製であり、上記側板３，４の相互対向面の上端部に、両面テープなどで簡単に取り付けることができる。また、左右対称の形状をしているので、一のガイドレール１０を側板３に取り付けるべきか側板４に取り付けるべきかを迷う必要なく、取り付けることが可能である。
【００３９】
図３（ａ）は、前扉２０の裏面を示す背面図であり、図３（ｂ）は、図３（ａ）の矢示Ａ方向から見た平面図である。前扉２０は、略長方形状の基板２１と、当該基板２１の一つの長辺側に、当該長辺に沿って対向して設けられた扉ホルダを構成する前記スライダ２２とから構成されており、基板２１とスライダ２２とは樹脂で一体成形されている。また、基板２１の他方の長辺には、その中間部に切欠部２７が形成されており、更に、基板２１の他方の長辺に沿って、後述する補助部材を取り付けるための平面視長方形状の補助部材取付孔２６が、その長辺が基板２１の短辺と平行となるように、略等間隔に４つ設けられている。
【００４０】
図４は、図３（ａ）の矢示Ｂ方向から見たスライダ２２の拡大図である。前扉２０の各スライダ２２は、前扉２０の裏面に固設される基部２３と、この基部２３から前扉２０の裏面と平行となるように延設された円筒状の係合軸２４とを備える。そして、係合軸２４が対応するガイドレール１０の一対のガイド片１２，１３間に挿入されることでガイドレール１０と係合するように構成されている。
【００４１】
係合軸２４の外周面には、その中心軸と平行な平面２５が形成されている。そして、各ガイドレール１０を構成する一対のガイド片１２，１３は、その両端部における相互間の間隔が、係合軸２４の直径よりも小さく、かつ係合軸２４の平面２５と当該平面２５と対向する外周面との間の幅寸法よりも大きい寸法に形成されている。
【００４２】
上記の構成によれば、係合軸２４の平面２５が各ガイド片１２，１３を擦るように、係合軸２４を各ガイド片１２，１３間に挿入すると、係合軸２４が各ガイド片１２，１３間に係合される一方、そこから係合軸２４が回転すると、ガイド片１２，１３の間隔は、その前端部における相互間の間隔が、前記係合軸２４の直径よりも小さくなり、係合軸２４が前記係止部１４に引っ掛かるため簡単には外れなくなる。尚、前扉２０が外れないように、前扉２０が鉛直方向を向いたときには前記係合軸２４が外れにくくなる位置に前記平面２５を設けることが好ましい。
【００４３】
このように、ガイドレール１０の各ガイド片１２，１３の間に、前扉２０に取り付けられたスライダ２２の係合軸２４を挿入することにより、蝶番などの部材やドライバ等の道具を用いることなく、簡単に前扉２０をカラーボックス１に取り付けることができる。
【００４４】
図５（ａ）は、図３（ａ）におけるＣ−Ｃ間の断面図であり、図５（ｂ）は、図５（ａ）における補助部材取付孔２６の拡大図である。図５（ａ）及び図５（ｂ）に示すように、補助部材取付孔２６は、基板２１の表裏面を貫通するように設けられた略Ｌ字型の孔であり、後述する補助部材３０の取付爪３２と係合する。
【００４５】
図６（ａ）は、前記補助部材３０の裏面を示す背面図であり、図６（ｂ）は、図６（ａ）の矢示Ｄ方向から見た平面図であり、図６（ｃ）は、図６（ｂ）における取付爪３２の拡大図である。前記補助部材３０は、前記前扉２０の基板２１の長辺と同程度の長さの長辺を有する略長方形状の基板３１と、当該基板３１の裏面に略等間隔に設けられた４つの取付爪３２とから構成されており、基板３１と取付爪３２とが樹脂で一体成形されている。また、前記基板３１の一方の長辺側中間部には基板３１の表裏面を貫通するように開口３３が形成されている。前記取付爪３２は、図６（ｃ）に示すように、基板３１の裏面から垂直方向に伸びた後、裏面と略平行な方向に曲がった略Ｌ字型の爪であり、前記補助部材取付孔２６と係合する。
【００４６】
上記構成によれば、前記前扉２０の基板２１に形成された４つの補助部材取付孔２６に前記補助部材３０の４つの取付爪３２がそれぞれ係合することで、図７に示すように、前扉２０に補助部材３０が取り付けられる。また、前述したように、補助部材取付孔２６はその長辺が基板２１の短辺と平行となるように形成されており、取付爪３２は、補助部材取付孔２６と係合した状態で、補助部材取付孔２６の長辺に沿って摺動可能になっている。したがって、補助部材３０を基板２１及び基板３１の短辺方向と平行な方向に移動させることができ、補助部材３０を移動させることによって、前扉２０の短辺方向の長さを自在に調節することができる。
【００４７】
これにより、図８に示すように、収納空間の高さが低い場合（図８（ａ））であっても、高い場合（図８（ｂ））であっても、前扉２０の長さを調節することによって、適切に閉止することができる。また、カラーボックス１は、奥行きの長さより収納空間の高さの方が長く設計されているものが多いが、このような場合であっても、収納空間を閉止する際には、前扉２０の長さを長くして、収納空間を適切に閉止することができるとともに、前扉２０を収納空間内に収納する際には、前扉２０の長さを短くすることができるため、当該前扉２０を収納空間に完全に収納することができる。つまり、ある程度寸法の異なるカラーボックスであっても、サイズの異なる別の前扉２０を用意することなく、一つの前扉２０の長さを変えることによって異なる高さの収納空間を適切に閉止することができるとともに、収納空間の高さが奥行きの長さよりも長い収納空間にも前扉２０を完全に収納することができる。尚、前扉２０の開け閉めに際しては、使用者が補助部材３０に設けられた開口３３に手を通して前扉２０を動かす。また、基板２１に形成された切欠部２７は、補助部材３０を移動させて前扉２０の長さを短くした際に、前記開口３３が塞がるのを防止している。
【００４８】
以上のように、本発明に係る扉キットによれば、カラーボックスの収納空間内にガイドレールを取り付け、当該ガイドレールのガイド片間に、前扉に設けられたスライダを係合させることで、カラーボックスに容易に前扉を取り付けることができる。更に、前扉に補助部材を取り付けるよう構成したことで、前扉の長さを自在に調節することができ、収納空間の高さが異なるカラーボックスであっても、前扉の長さを変えることによって、収納空間を適切に閉止できる。また、収納空間の奥行きと高さが異なり、奥行きの方が高さよりも長さが短い場合でも、収納空間を閉止する際には、前扉の長さを長くし、収納空間に前扉を収納する際には、前扉の長さを短くすることで、前扉を収納空間に完全に収納でき、収納した際に飛び出し部分が生じないため、カラーボックスを安全に取り扱うことができる。
【００４９】
以上、本発明の一実施形態について説明したが、本発明の採り得る具体的な態様は、何らこれに限定されるものではない。
【００５０】
例えば、上例においては、ガイドレール１０を両面テープなどにより側板３，４の相互対向面の上端部に取り付ける態様を示したが、材料の違いなどから前扉２０の重量が重くなる場合には、ガイドレール１０の基板１１に挿通孔を穿設し、当該挿通孔にねじなどを通し、ガイドレール１０を側板３，４に強固に取り付けるようにしても良い。
【００５１】
更に、上例においては、基板２１とスライダ２２とが樹脂により一体成形されている態様を示したが、これに限られるものではなく、例えば、図９に示すようなスライダ取付具４０を基板に装着させることで、スライダ２２’を備えた前扉を構成するようにしても良い。尚、図９（ａ）は、前記スライダ取付具４０の平面図であり、図９（ｂ）は、図９（ａ）における矢示Ｅ方向から見たスライダ取付具４０の側面図であり、図９（ｃ）は、図９（ａ）における矢示Ｆ方向から見たスライダ取付具４０の側面図である。
【００５２】
図９に示すように、前記スライダ取付具４０は、直角三角形状の底板４１と、当該底板４１の斜辺を除く二辺に固設された略長方形状の側板４２，４３と、当該側板４２の一つに回動自在に連結された直角三角形状の天板４４と、当該天板４４に設けられたスライダ２２’とから構成されており、前記天板４４が底板４１と対向する位置に回動することで、底板４１、２つの側板４２，４３及び天板４４によって基板の角を収納する空間が形成される。天板４４が連結されていない側板４３には、前記空間側の面に長方形状の溝４５が設けられており、前記天板４４には、前記空間を形成する際に、前記溝４５に係合する突部４６が設けられている。また、前記天板４４には、前記空間を形成した際に、空間側に位置する面に４つの突起４７が設けられている。尚、スライダ２２’は上例におけるスライダ２２と同様の構成を備えている。
【００５３】
上記構成によれば、底板４１及び２つの側板４２，４３に囲まれた空間に基板の角を収め、天板４４を回動させて基板を底板４１と天板４４とで挟み、天板４４の突部４６を側板４３の溝４５に嵌めて天板４４を固定することで、天板４４に形成された突起４７によって基板が押さえつけられ、抜け落ちを防止される。これにより、図１０に示すように、スライダ取付具４０が基板２１’に取り付けられ、基板２１’がスライダ２２’を備えた前扉となる。このようにすれば、例えば、スライダを一体成形することが難しい素材を前扉として用いたい場合などに、その素材から基板を成形し、成形した基板にスライダ取付具を取り付けることで、前扉として使用することができる。
【００５４】
また、上例においては、ガイドレールを図２に示した構造のものを採用したが、これに限られるものではなく、図１１に示すガイドレール１０’のような構造のものを採用しても良い。
【００５５】
図１１に示すように、長方形状の基板１１’と、当該基板１１’から紙面手前方向に突出するように一定の間隔を隔てて略平行に設けられた一対のガイド片１２’，１３’を備えている。また、基板１１’は、一対のガイド片１２’，１３’の前端部が位置する箇所に開口１５’が設けられており、一対のガイド片１２’，１３’の前端部は宙に浮いた状態となっている。また、各ガイド片１２’，１３’は、その両端部がそれぞれ対向するガイド片１２’，１３’に向けて傾斜している。
【００５６】
加えて、スライダは、図１２に示すように、係合軸２４’に２つの平面２５’，２５’が形成されたスライダ２２’であっても良い。
【００５７】
図１３は、ガイドレール１０’のガイド片１２’，１３’間に係合軸２４’を係合させる過程を示す模式図である。まず、係合軸２４’に形成された２つの平面２５’，２５’をそれぞれ２つのガイド片１２’，１３’に接触させる。ついで、係合軸２４’をガイド片１２’，１３’間に押し込む。この際、各ガイド片１２’，１３’の前端部は、両者間の空間が係合軸２４’を通過できる大きさになるまで広がるように弾性変形する。（図１３（ａ）参照）。これにより、図１３（ｂ）に示すように、係合軸２４’は、ガイド片１２’，１３’の間に挿入される。尚、係合軸２４’がガイド片１２’，１３’間に挿入されると、弾性変形していた各ガイド片１２’，１３’の前端部は元の形に戻る。
【００５８】
また、上例においては、開口３３に手を通して前扉２０を動かす態様としたが、補助部材に取っ手を取り付け、当該取っ手を持って動かす態様としても良い。
【００５９】
また、前扉をアクリル樹脂などの透明性の高い素材から構成するようにすれば、カラーボックスをフィギュアなどのコレクションボックスとして利用することもできる。
【００６０】
更に、複数枚で一つの絵になるように、前扉に図柄や絵の一部を描画し、複数の収納空間をそれらの前扉で閉止するようにしても良い。
【符号の説明】
【００６１】
１    カラーボックス
１０  ガイドレール
１２，１３  ガイド片
１４  係止部
２０  前扉
２１  基板
２２  スライダ
２４  係合軸
２５  平面
２６  補助部材取付孔
３０  補助部材
３２  取付爪
４０  スライダ取付具
【図１】
2013079502.tif 000003
【図２】
2013079502.tif 000004
【図３】
2013079502.tif 000005
【図４】
2013079502.tif 000006
【図５】
2013079502.tif 000007
【図６】
2013079502.tif 000008
【図７】
2013079502.tif 000009
【図８】
2013079502.tif 000010
【図９】
2013079502.tif 000011
【図１０】
2013079502.tif 000012
【図１１】
2013079502.tif 000013
【図１２】
2013079502.tif 000014
【図１３】
2013079502.tif 000015